(57)【要約】      （修正有）【課題】利用者の所望する設定ボタンを容易に選択できるようにし、各種処理の設定を容易に行なえるようにする操作パネル、および、それを備えた電気機器を提供する。【解決手段】画像処理装置１に備えられた操作パネル１３は、操作指示を入力する操作部１３ａと、操作画面を表示する表示部１３ｂと、操作画面内の設定ボタンを操作する度に異なる操作画面を表示部１３ｂに表示させる制御部１３ｃと、選択された設定ボタンを記憶する記憶部１３ｄとを備える。制御部１３ｃは、各設定ボタンの利用回数をカウントし、記憶部１３ｄに記憶させる。設定画面が表示されると、制御部１３ｃは、各設定ボタンの利用回数を検出し、その利用回数に応じて表示部１３ｂに表示される携帯を変化させる。【選択図】図３
2009122862.tif 000002
【特許請求の範囲】
【請求項１】
操作画面の設定ボタンを操作して操作指示を入力するための操作パネルであって、
前記操作画面を表示する表示部と、前記操作画面を前記表示部に表示させる制御部と、他の設定ボタンと表示を異ならせたい設定ボタンを選択する選択部とを備え、
前記制御部は、利用頻度に応じて、選択された設定ボタンの表示を変化させることを特徴とする操作パネル。
【請求項２】
制御部は、設定ボタンの利用回数をカウントし、前記利用回数が多くなるにつれて前記設定ボタンの表示を段階的に変化させることを特徴とする請求項１に記載の操作パネル。
【請求項３】
制御部は、設定ボタンの表示の色を変化させることを特徴とする請求項１または２に記載の操作パネル。
【請求項４】
制御部は、設定ボタンの表示の大きさを変化させることを特徴とする請求項１または２に記載の操作パネル。
【請求項５】
制御部は、設定ボタンの表示の点滅速度を変化させることを特徴とする請求項１または２に記載の操作パネル。
【請求項６】
制御部は、設定ボタンの表示の振動周期を変化させることを特徴とする請求項１または２に記載の操作パネル。
【請求項７】
設定ボタンを選択するための選択ボタンを有し、
前記選択ボタンが操作されたとき、制御部は、前記設定ボタンを選択するための操作画面を表示させることを特徴とする請求項１〜６のいずれかに記載の操作パネル。
【請求項８】
制御部は、選択された設定ボタンと表示の変化を、利用者毎にカスタマイズすることを特徴とする請求項１〜７のいずれかに記載の操作パネル。
【請求項９】
請求項１〜８のいずれかに記載の操作パネルが装着されたことを特徴とする電気機器。
【請求項１０】
電気機器が、コピー機、プリンタ、ファクシミリ、スキャンナ、もしくは、これら２つ以上を組み合わせた複合機器であることを特徴とする請求項９に記載の電気機器。
【発明の詳細な説明】
【技術分野】
【０００１】
本発明は、操作画面内の設定ボタンの表示を変化させる操作パネルと、それを備えた電気機器に関する。
【背景技術】
【０００２】
現在の画像処理装置は、ステープル処理やパンチング処理といった種々の出力処理機能を有する。このような出力処理機能を実行するためには、利用者が複数の操作画面に操作指示を入力する必要がある。しかし、複数の操作画面に操作指示を入力するには、時間と労力が必要となる。
【０００３】
そこで、特許文献１では、頻度算出部が各操作の選択ボタンの選択頻度を算出し、算出された選択頻度の最も高い設定ボタンを設定部が画像形成時の動作に設定し、設定された設定ボタンの色を制御部が変更し、設定ボタンの色の変更処理後、制御部は、変更された色で設定ボタンを表示させることが開示されている。
【特許文献１】特開２００５−２４２９２２公報
【発明の開示】
【発明が解決しようとする課題】
【０００４】
特許文献１は、操作画面に移行した際に、過去の利用頻度に基づいて選択ボタンの設定を自動的に行なうものである。そのため、不慣れな利用者にとっては、既に選択ボタンの設定がされていることに気付かずに、誤った設定のままで処理を行なってしまう問題がある。
【０００５】
本発明は、上記に鑑み、利用者の所望する設定ボタンを容易に選択できるようにし、各種処理の設定を容易に行なえるようにする操作パネル、および、それを備えた電気機器の提供を目的とする。
【課題を解決するための手段】
【０００６】
上記目的を達成するために、本発明では、操作画面の設定ボタンを操作して操作指示を入力するための操作パネルであって、前記操作画面を表示する表示部と、前記操作画面を前記表示部に表示させる制御部と、他の設定ボタンの表示と異ならせたい設定ボタンを選択する選択部とを備え、前記制御部は、利用頻度に応じて、選択された設定ボタンの表示を変化させることを特徴とする。
【０００７】
利用者は、複数ある設定ボタンのうち、他の設定ボタンの表示と異ならしたい設定ボタン、すなわち、他の設定ボタンの表示より目立たせて表示させたい設定ボタンを選択する。制御部は、選択された設定ボタンの利用回数をカウントする。制御部は、測定結果に基づいて、選択された設定ボタンの表示を変化させる。例えば、制御部は、カウントした利用回数が多くなるにつれて、選択された設定ボタンの表示を段階的に変化させる。
【０００８】
上記構成によると、利用者の利用頻度に応じて、選択された設定ボタンの表示を他の設定ボタンの表示と異ならせるので、利用者は、よく利用する設定ボタンを一目に確認できる。これにより、利用者は、所望する設定ボタンの選択を容易に行なうことができる。
【０００９】
なお、表示の変更方法としては、設定ボタンの表示の色、表示の大きさ、表示の点滅速度、あるいは、表示の振動周期を変化させる方法が挙げられる。
【００１０】
操作パネルは、操作指示を入力する入力部を備える。入力部は、他の設定ボタンの表示より目立たせて表示させたい設定ボタンを選択するための選択ボタンを有する。制御部は、前記選択ボタンが操作されたときに、前記設定ボタンを選択するための操作画面を表示させる。
【００１１】
制御部は、選択された設定ボタンと表示の変化を、利用者毎にカスタマイズすることを特徴とする。この構成によると、利用者毎に目立たせて表示させたい設定ボタンを変えることができる。また、その表示方法も、利用者毎に変えることができる。すなわち、利用者の好みに応じて、表示を異ならせたい設定ボタンを表示することができる。
【００１２】
これら操作パネルを電気機器に供える。電気機器としては、コピー機、プリンタ、ファクシミリ、スキャンナ、もしくは、これら２つ以上を組み合わせた複合機器が例示できる。
【発明の効果】
【００１３】
本発明によると、よく利用する設定ボタンの表示を他の設定ボタンの表示と異ならせて表示させるので、設定したい機能の設定ボタンを一目で確認することができる。これにより、利用者は、操作画面から各種設定を行なう際、容易に選択ボタンを選択することができる。したがって、利用者は、所望の操作画面を呼び出すための設定ボタンを探す手間がなくなり、設定時間の短縮を図ることができる。
【発明を実施するための最良の形態】
【００１４】
以下、本発明の操作パネル１３を詳細に説明する。なお、説明の便宜上、操作パネル１３をコピーモード、プリンタモード、スキャンナモードおよびファクシミリモードを有する画像処理装置１である電気機器に装着した場合で説明する。
【００１５】
図１〜図３は、画像処理装置の一実施形態を示す斜視図、断面図、ブロック図を示す。画像処理装置１は、原稿の画像を読み取って記録用紙に印刷するコピーモード、原稿の画像を読み取って送信したり、原稿の画像を受信して記録用紙に印刷したりするファクシミリモード、情報端末装置からネットワークを通じて受信した画像を記録用紙に印刷するプリンタモード等を選択的に行なうことができる。
【００１６】
画像処理装置１は、原稿搬送読み取部２と、画像形成部３と、給紙部４と、排紙処理装置５と、ＵＳＢインターフェイス７とを備えている。
【００１７】
次に、コピーモードを例に挙げて、画像処理装置１の動作を説明する。
【００１８】
先ず、原稿を原稿搬送読み取り部２の原稿セットトレイ１１にセットすると、原稿検出センサ１２が原稿をセットされたことを検出する。そして、原稿搬送読み取り部２の操作パネル１３を操作することにより印刷用紙のサイズおよび変倍率等を入力設定する。その後、操作パネル１３の操作により複写の開始を指示する。
【００１９】
これらの操作に応答して、原稿搬送読み取り部２は、ピックアップローラ１８により原稿セットトレイ１１上の各原稿を１枚ずつ引き出し、原稿を捌き板１４と搬送ローラ１５との間を介してプラテンガラス１６へと送り出し、原稿をプラテンガラス１６上で副走査方向に搬送して原稿排出トレイ１７へと排出する。
【００２０】
このとき、第１読み取り部２１によって原稿の表面（下側面）を読み取る。第１読み取り部２１の第１走査ユニット２３をポジションに移動して位置決めし、第２走査ユニット２４を所定位置に位置決めしておき、第１走査ユニット２３の露光ランプにより原稿の表面をプラテンガラス１６を介して照射し、原稿の反射光を第１および第２走行ユニット２３、２４の各反射ミラーにより結像レンズ２６へと導き、原稿の反射光を結像レンズ２６によりＣＣＤ（Ｃｈａｒｇｅ  Ｃｏｕｐｌｅｄ  Ｄｅｖｉｃｅ）２７に集光させ、原稿の表面の画像をＣＣＤ２７上に結像させる。これにより原稿の表面の画像を読み取る。
【００２１】
また、第２読み取り部２２によって原稿の裏面（上側面）を読み取る。第２読み取り部２２は、プラテンガラス１６の上方に配置されており、原稿の裏面を照射する露光ランプ（ＬＥＤ（Ｌｉｇｈｔ  Ｅｍｉｔｔｉｎｇ  Ｄｉｏｄｅ）アレイや蛍光灯等）を、画素数毎に、原稿の反射光を集光するセルフォックレンズアレイ、および、セルフォックレンズアレイを通じて受光した原稿の反射光を光電変換して、アナログの画像信号を出力する密着イメージセンサ（ＣＩＳ：Ｃｏｎｔａｃｔ  Ｉｍａｇｅ  Ｓｅｎｓｏｒ）等を備えている。
【００２２】
原稿搬送読み取り部２は、その上部筐体を開いて、プラテンガラス１６上に原稿を載置した状態で第１読み取り部２１により原稿の表面を読み取ることが可能である。この場合は、第１および第２走査ユニット２３、２４を相互に所定の速度関係を維持しつつ副走査方向に移動させ、第１走査ユニット２３によってプラテンガラス１６上の原稿を露光し、第１および第２走査ユニット２３、２４によって原稿からの反射光を結像レンズ２６へと導き、結像レンズ２６によって原稿の画像をＣＣＤ２７上に結像する。
【００２３】
こうして原稿の片面もしくは両面が読み取られると、原稿の片面もしくは両面の画像を示す画像データがマイクロコンピュータ等の制御部５１（図３参照）に入力され、ここで画像データに各種の画像処理が施され、この画像データが画像形成部３へと出力される。
【００２４】
画像形成部３は、画像データによって示される原稿の画像を記録用紙に印刷するものであって、感光体ドラム３１、帯電装置３２、レーザスキャンンユニット（以下、ＬＳＵとする）３３、現像装置３４、転写装置３５、クリーニング装置３６、除電装置（図示せず）、および、定着装置３７等を備えている。
【００２５】
また、画像形成部３には、主搬送路３８および反転搬送路３９が設けられており、給紙部４から給紙されて来た記録用紙が主搬送路３８に沿って搬送される。給紙部４は、用紙カセット４１に収納された記録用紙、または手差トレイ４２に載置された記録用紙を１枚ずつ引き出して、記録用紙を画像形成部３の主搬送路３８へと送り出す。
【００２６】
画像形成部３の主搬送路３８に沿って記録用紙が搬送されている途中で、記録用紙が感光体ドラム３１と転写装置３５との間を通過し、更に、定着装置３７を通過して、記録用紙に対する印刷が行われる。
【００２７】
感光体ドラム３１は、一方向に回転しており、その表面をクリーニング装置３６と除電装置によりクリーニングされてから、その表面を帯電装置３２により均一に帯電される。
【００２８】
レーザスキャンンユニット３３は、原稿搬送読み取り部２からの画像データに基づいてレーザ光を変調し、このレーザ光によって感光体ドラム３１表面を主走査方向に繰り返し走査して、静電潜像を感光体ドラム３１表面に形成する。
【００２９】
現像装置３４は、トナーを感光体ドラム３１表面に供給して、静電潜像を現像し、トナー像を感光体ドラム３１表面に形成する。
【００３０】
転写装置３５は、該転写装置３５と感光体ドラム３１間を通過して行く記録用紙に感光体ドラム３１表面のトナー像を転写する。定着装置３７は、記録用紙を加熱および加圧して、記録用紙上のトナー像を定着させる。
【００３１】
主搬送路３８と反転搬送路３９の接続位置には、分岐爪４３が配設されている。記録用紙の片面だけに印刷が行われる場合は、分岐爪４３が位置決めされ、この分岐爪４３により定着装置３７からの記録用紙が排紙トレイ４４または排紙処理装置５の方へと導かれる。
【００３２】
また、記録用紙の両面に印刷が行われる場合は、分岐爪４３が点線で示す位置に回転移動されて、記録用紙が反転搬送路３９の方へと導かれる。そして、記録用紙は、反転搬送路３９を通過して、その表裏を反転されて主搬送路３８へと再び搬送され、主搬送路３８の再度の搬送途中で、その裏面への印刷が行われて、排紙トレイ４４または排紙処理装置５の方へと導かれる。
【００３３】
こうして印刷された記録用紙は、排紙トレイ４４または排紙処理装置５の方へと導かれて、排紙トレイ４４に排出されたり、排紙処理装置５の各排紙トレイ５ａのいずれかに排出される。
【００３４】
排紙処理装置５では、複数の記録用紙を各排紙トレイ５ａに仕分けして排出したり、各記録用紙にパンチング処理を施したり、各記録用紙にステープル処理を施す。例えば、複数部の印刷物を作成する場合は、各排紙トレイ５ａに印刷物の一部ずつが割り当てられる様に各記録用紙を各排紙トレイ５ａに仕分けして排出し、排紙トレイ５ａ毎に、排紙トレイ５ａ上の各記録用紙にパンチング処理やステープル処理を施して、印刷物を作成する。
【００３５】
ところで、利用者は、コピー、プリント、スキャンおよびファクシミリといった処理をする際に、綴じ代や枠消去といった特別機能を設定することがある。この特別機能の設定を行なう操作画面は、いくつもの設定ボタン２０ｃ，２０ｅが表示される。
【００３６】
例えば、図５に示す特別機能のタッチボタン２０ｂを操作すると、図６に示すような操作画面が表示される。その操作画面には、綴じ代、枠消去、１セット２コピー、表紙挿入、ＯＨＰ合い紙、センタリング、マルチショット、画像編集メニュー、印字編集メニューといった複数の設定ボタン２０ｃ，２０ｅが表示される。これら設定ボタン２０ｃ，２０ｅは、同じような形態で表示される。そのため、利用者は、所望の設定ボタン２０ｃ，２０ｅを選択するのに時間がかかる。
【００３７】
そこで、操作パネル１３には、利用者の操作性を向上するために、表示部１３ｂに表示される設定ボタン２０ｃの表示を、利用頻度に応じて他の設定ボタン２０ｅの表示と異ならせて表示させる表示機能を備える。
【００３８】
具体的には、複数ある設定ボタン２０ｃ，２０ｅのうち、他の設定ボタン２０ｅの表示と異ならしたい設定ボタン２０ｃを選択し、選択された設定ボタン２０ｃの利用頻度に基づいて、選択された設定ボタン２０ｃの表示を段階的に変化させる機能を備える。これにより、利用者は、所望の特別機能を設定するための操作画面を呼び出す設定ボタン２０ｃを探す手間がなくなり、機能の設定時間の短縮を図ることができる。
【００３９】
次に、表示機能を実現するための操作パネル１３について説明する。
【００４０】
操作パネル１３は、図４に示すように、操作指示を入力する操作部１３ａと、操作画面を表示する表示部１３ｂと、表示部１３ｂを制御する制御部１３ｃと、選択された設定ボタン２０ｃを記憶する記憶部１３ｄとを備える。
【００４１】
ここで、操作画面とは、画面を形成するのに必要な表示内容と操作指示の入力内容を表示する画面のことである。また、設定ボタン２０ｃ，２０ｅとは、各種特別機能を設定するための操作画面を呼び出すために操作するボタンである。
【００４２】
操作部１３ａは、入力をするための機械式のハードボタン２０ａを備える。表示部１３ｂは、画面と、画面を駆動制御する駆動部とを有する。画面は、周知のタッチパネルを有し、入力を操作するためのタッチボタン２０ｂが形成される。
【００４３】
記憶部１３ｄは、ＳＤＲＡＭ、フラッシュメモリ等の読み書き可能な半導体メモリである。記憶部１３ｄは、利用者によって選択された設定ボタン２０ｃ、すなわち、他の設定ボタン２０ｅの表示と異ならしたい設定ボタン２０ｃを記憶する。
【００４４】
記憶部１３ｂは、利用者毎に記憶する。具体的には、操作パネル１３には、利用者を識別する利用者認証部６０を備える。利用者認証部６０は、利用者の指がタッチパネルに触れることで、指の指紋から利用者を認識する。なお、利用者認証部６０は、この限りではなく、ＵＳＢといった接触あるいは非接触のメモリに、あらかじめＩＤ情報を登録しておき、前記ＵＳＢからＩＤ情報を取得しても良い。
【００４５】
記憶部１３ｂは、選択された設定ボタン２０ｃに関する管理情報を記憶する。なお、管理情報とは、設定ボタン２０ｃの利用回数や表示の変化方法等である。
【００４６】
制御部１３ｃは、ハードボタン２０ａあるいはタッチボタン２０ｂからの入力や外部機器からの入力があると、メモリ（図示せず）に記憶されている装置全体の制御情報や設定情報等の情報に基づいて各部を制御する。すなわち、制御部１３ｃは、入力内容に対して、コピーモード、プリンタモード、スキャンナモード、ファクシミリモードのいずれかの動作を開始する。
【００４７】
制御部１３ｃは、操作画面内の設定ボタン２０ｃ，２０ｅを操作する度に異なる操作画面を表示部１３ｂに表示させる。
【００４８】
制御部１３ｃは、他の設定ボタンと表示を異ならせたい設定ボタンを選択する選択部１３ｅを備える。選択部１３ｅは、表示部１３ｂでの表示を、他の設定ボタン２０ｅと異ならせる設定ボタン２０ｃを選択するための選択ボタン２０ｄを表示させる。選択部１３ｅは、表示された選択ボタン２０ｄが操作されると、設定ボタン２０ｃを選択するための操作画面を表示部１３ｂに表示させるように駆動部を制御する。選択ボタン２０ｄが操作されないと、選択部１３ｅは、設定ボタン２０ｃを選択するための操作画面を表示させない。
【００４９】
設定ボタン２０ｃを選択するための操作画面が表示されると、利用者は、表示部１３ｂに表示されている操作画面から他の設定ボタン２０ｅの表示と異ならせたい設定ボタン２０ｃを選択する。さらに、選択部１３ｅは、選択した設定ボタン２０ｃの表示の変化方法を選択する。設定が終了すると、制御部１３ｃは、選択された設定ボタン２０ｃとその表示の変化方法とを関連付けて記憶部１３ｄに記憶させる。
【００５０】
なお、表示の変化方法としては、設定ボタン２０ｃの表示の色、大きさ、形、点滅速度、振動速度等が考えられる。例えば、色の場合は、色合い、色の鮮やかさ、色の明るさの値を段階的に上昇させる。大きさの場合は、選択された設定ボタン２０ｃの大きさが、他の設定ボタン２０ｅと比べて相対的に大きくなるように変化させる。形の場合は、表示された設定ボタン２０ｃの形状が円形状に近い多角形になるように変化させる。点滅速度の場合は、選択された設定ボタン２０ｃが、早くあるいは遅く点滅するように変化させる。振動速度の場合は、選択された設定ボタン２０ｃが、早くあるいは遅く振動するように変化させる。
【００５１】
選択部１３ｅは、図１０に示すように、利用者毎のテーブルを作成して、記憶部１３ｄに記憶させる。図１０中の利用者Ａは、表示機能を設定した利用者である。選択した設定ボタン２０ｃは、綴じ代、１セット２コピー、センタリング、マルチショットである。そして、表示の変化方法は、綴じ代、１セット２コピー、および、マルチショットが表示の色の変化、センタリングが表示の点滅速度を変化で、他の設定ボタン２０ｅの表示と異ならせる。
【００５２】
制御部１３ｃは、選択した設定ボタ２０ｃの利用回数をカウントして、テーブルの利用回数を更新していく（図１０参照）。
【００５３】
制御部１３ｃは、カウントした回数に応じて、設定ボタン２０ｃを段階的に表示を変化させる。例えば、図１０に示すテーブルの設定のように、選択した１セット２コピーやマルチショットの設定ボタン２０ｃを変化させる場合、最初は、図６に示すように、他の設定ボタン２０ｃ，２０ｅと同様な形状で表示しているが、１セット２コピーやマルチショットの設定ボタン２０ｃの利用回数が増えるにつれて、図７および図８に示すように、１セット２コピーやマルチショットの設定ボタン２０ｃの表示は段階的に変化する。
【００５４】
例えば、表示の色を変える場合は、色合い、色の鮮やかさ、色の明るさの値を１ポイントずつあるいは複数ポイントずつ変える。表示の形を変える場合は、設定ボタン２０ｃの表示の形状を１角ずつあるいは複数角ずつ変える。表示の点滅速度を変える場合は、点滅速度の値を１ポイントずつあるいは複数ポイントずつ変える。表示の振動速度を変える場合は、振動速度の値を１ポイントずつあるいは複数ポイントずつ変える。
【００５５】
ここで、設定ボタン２０ｃの表示の変化のタイミングは、あらかじめ利用者が設定する。例えば、制御部１３ｃは、選択した設定ボタン２０ｃの利用回数を一回カウントされる度に、設定ボタン２０ｃの表示を変化させる。あるいは、所定の回数、例えば、１０回、２０回といったように、あらかじめ決められた回数がカウントされると制御部１３ｃは、設定ボタン２０ｃの表示を変化させる。
【００５６】
次に、コピーモードを例に挙げ、操作パネル１３の表示機能の動作を、図９のフローチャートを用いて説明する。
【００５７】
先ず、表示を異ならせたい設定ボタン２０ｃを選択し、その表示の変化方法を決定する動作について説明する。
【００５８】
利用者が、電源をＯＮすると、制御部１３ｃは、初期画面を表示部１３ｂに表示するように駆動部を制御する。そして、利用者がコピーモードを選択すると、図５に示すような、コピーモードの初期画面が表示される（ｎ１）。コピーモードの初期画面において、利用者が選択ボタン２０ｄであるキーカスタマイズボタンを操作すると（ｎ２でＹ）、選択部１３ｅは、表示部１３ｂに設定ボタン２０ｃを選択する選択画面を表示させる（ｎ１３）。
【００５９】
利用者から表示機能の設定終了の操作がされずに（ｎ１４でＮ）、表示を異ならせる選択ボタン２０ｃと、その変化方法を選択する操作がされると（ｎ１５でＹ）、選択部１３ｅは、選択された設定ボタン２０ｃの設定を記憶するテーブルを作成し、記憶部１３ｄに記憶させる（ｎ１６）。利用者から表示機能の設定終了の操作がされると（ｎ１４でＹ）、制御部１３ｃは、再び初期画面を表示する（ｎ１）。
【００６０】
次に、選択した設定ボタン２０ｃの表示を変化させ、処理を決定する動作について説明する。
【００６１】
利用者がキーカスタマイズボタン２０ｄを操作せずに（ｎ２でＮ）、コピー処理の実行ボタンを操作すると（ｎ３でＹ）、制御部１３ｃは、設定されている条件でコピー処理を実行する（ｎ１２）。処理が終了すると、制御部１３ｃは、表示部１３ｂに初期画面を表示させる。
【００６２】
コピー処理の実行ボタンが操作されずに（ｎ３でＮ）、特別機能ボタン２０ｄが操作されると（ｎ８でＹ）、制御部１３ｃは、選択された設定ボタン２０ｃの利用回数をテーブルから読み出す（ｎ５）。利用回数に応じて、設定ボタン２０ｃの表示を変化させる処理をする（ｎ６）。そして、制御部１３ｃは、変化した設定ボタン２０ｃを表示部１３ｂに表示するように駆動部を制御する（ｎ７）。
【００６３】
利用者が、いずれかの設定ボタン２０ｃ，２０ｅを操作すると（ｎ８でＹ）、制御部１３ｃは、操作された設定ボタン２０ｃ，２０ｅに対応する操作画面を表示部１３ｂに表示させる（ｎ９）。操作画面に操作指示を入力されると、制御部１３ｃは、設定終了の操作がされたか否かを確認する（ｎ１０）。設定終了の操作がされていない場合（ｎ１０でＮ）、制御部１３ｃは、いずれかの設定ボタン２０ｃ，２０ｅが操作されたか否かを確認する（ｎ８）。そして、設定ボタン２０ｃ，２０ｅが操作されていない場合は（ｎ８でＮ）、設定終了の操作がされたか否かを確認する（ｎ１０）。制御部１３ｃは、設定終了の操作がされるまで、ｎ８〜ｎ１０までの処理を繰り返す。
【００６４】
利用者が、設定終了の操作をすると（ｎ１０でＹ）、表示部１３ｂに初期画面が表示される。このとき、制御部１３ｃは、特別機能の設定中に選択された設定ボタン２０ｃの利用回数をカウントアップし、その回数を記憶部１３ｄに記憶させる（ｎ１１）。そして、制御部１３ｃは、キーカスタマイズボタン２０ｄが操作されたか否かを確認する（ｎ２）。
【００６５】
キーカスタマイズボタン２０ｄが操作された場合（ｎ２でＹ）、ｎ１３〜ｎ１６までの処理を行なう。キーカスタマイズボタン２０ｄが操作されていない場合（ｎ２でＮ）、コピー処理の実行ボタンが操作されたか否かを確認する（ｎ３）。利用者が実行ボタンを操作すると（ｎ３でＹ）、制御部１３ｃは、設定されている条件でコピー処理を実行させる（ｎ１２）。処理が終了すると、制御部１３ｃは、表示部１３ｂに初期画面を表示させる。制御部１３ｃは、コピー処理の操作がされるまで、ｎ２〜ｎ１１までの処理を繰り返す。
【００６６】
これにより、各種特別機能を設定する操作画面を呼び出す設定ボタン２０ｃ，２０ｅが複数表示されている場合であっても、容易に所望する設定ボタン２０ｃを選択することができるので、設定時間の短縮を図ることができる。
【００６７】
なお、本発明は、上記実施形態に限定されるものではなく、本発明の範囲内で上記実施形態に多くの修正および変更を加え得ることは勿論である。本実施形態では、コピーモードで説明したが、ファイリングモードやＦＡＸモードであってもよい。
【００６８】
本実施形態では、電気機器が画像処理装置として説明したが、特にこの限りではなく、洗濯機、電子レンジ、エアコンといった各種機能を設定する操作画面を有する電気機器に用いることができる。
【００６９】
本実施形態では、選択ボタンをタッチボタンとして説明したが、特にこれに限られることはなく、ハードボタンとして備えても良い。
【００７０】
本実施形態は、選択した設定ボタンの表示を変化させているが、全ての設定ボタンを変化させても良い。例えば、相対的な利用頻度を検出し、その利用頻度に応じて表示を変化させる。
【００７１】
利用者毎で表示機能を設定するのではなく、電気機器毎に設定しても良い。あるいは、部署毎、地域毎に設定しても良い。
【図面の簡単な説明】
【００７２】
【図１】本実施形態に係る画像処理装置を示す斜視図
【図２】画像処理装置を示す断面図
【図３】画像処理装置のブロック図
【図４】画像形成装置に用いられる操作パネルを示す正面図
【図５】初期画面を示す図
【図６】操作画面であって、設定ボタンが変化する前を示す図
【図７】図６から設定ボタンが変化した状態を示す図
【図８】図７から設定ボタンが変化した状態を示す図
【図９】操作パネルの動作を示すフローチャート図
【図１０】記憶部に記憶されるテーブルの一例を示す図
【符号の説明】
【００７３】
１    画像処理装置
１３    操作パネル
１３ａ  操作部
１３ｂ  表示部
１３ｃ  制御部
１３ｄ  記憶部
１３ｅ  選択部
２０ａ  ハードボタン
２０ｂ  タッチボタン
２０ｃ  表示を異ならせたい設定ボタン
２０ｄ  選択ボタン
２０ｅ  他の設定ボタン
【図１】
2009122862.tif 000003
【図２】
2009122862.tif 000004
【図３】
2009122862.tif 000005
【図４】
2009122862.tif 000006
【図５】
2009122862.tif 000007
【図６】
2009122862.tif 000008
【図７】
2009122862.tif 000009
【図８】
2009122862.tif 000010
【図９】
2009122862.tif 000011
【図１０】
2009122862.tif 000012